(57)【要約】【課題】ロックされたストライカーが強制的に引き抜かれた場合にも、ラッチ本体やガイドレバー等の変形を防ぐことができるラッチ装置を提供する。【解決手段】ラッチ装置において、ストライカーをロックするラッチ本体１５と、ラッチ本体１５をロック解除位置へ向かって付勢する付勢ばね１３と、ラッチ本体１５の循環カム溝に沿って摺動しラッチ本体１５をロック位置に係止するガイドレバー１４とを備えるとともに、ガイドレバー１４は、トレース部１４ａ，１４ｂと、トレース部１４ａ，１４ｂに従って傾動する傾動部１４ｃ，１４ｄと、傾動部１４ｃ，１４ｄの傾動に従動して捻られる第１の屈曲部１４ｅ，１４ｆと、第１の屈曲部１４ｅ，１４ｆに対して異なる方向に延びるとともにトレース部１４ａ，１４ｂが循環カム溝から抜け出す方向に傾動部１４ｃ、１４ｄが拡開した際に傾動部１４ｃ，１４ｄに従動して捻られる第２の屈曲部１４ｇとを備えた。【選択図】図２
2013185392.tif 000002
【特許請求の範囲】
【請求項１】
ストライカーのロック及びロックの解除が、該ストライカーをハウジングに押し込む操作によって行われるラッチ装置において、
ロック位置で前記ストライカーをロックし、前記ハウジング内をロック解除位置と最大押し込み位置との間で移動可能なラッチ本体と、
前記ラッチ本体を前記ロック解除位置へ向かって付勢する付勢ばねと、
前記ラッチ本体に形成された循環カムに沿って摺動し、前記ラッチ本体を前記ロック位置に係止するガイドレバーとを備えるとともに、
前記ガイドレバーは、
前記循環カムに摺接するトレース部と、前記トレース部に従って傾動する傾動部と、前記傾動部の傾動に従動して捻られる第１の屈曲部と、前記第１の屈曲部に対して異なる方向に延びるとともに前記傾動部が拡開した際に前記傾動部に従動して捻られる第２の屈曲部とを備えたラッチ装置。
【請求項２】
前記第２の屈曲部は、前記トレース部の拡開方向に対して垂直に延びる請求項１に記載のラッチ装置。
【請求項３】
前記ガイドレバーは、
前記ラッチ本体の両面に形成された前記循環カムに摺接する一対の前記トレース部と、前記各トレース部に連続する一対の傾動部と、前記各傾動部に連続して形成された一対の前記第１の屈曲部と、前記各第１の屈曲部に対して垂直に延び前記各第１の屈曲部の間に設けられた第２の屈曲部を備えた請求項１又は２に記載のラッチ装置。
【発明の詳細な説明】
【技術分野】
【０００１】
この発明は、扉や引き出し等の移動体、又は移動体が取り付けられた本体に固定され、移動体を押し込むことでロック及びロック解除を行うためのラッチ装置に関する。
【背景技術】
【０００２】
従来より、扉や引き出し等の移動体を本体に対して開閉するために、移動体又は本体にラッチ装置が設けられている。
例えば特許文献１には、いわゆるプッシュ・プッシュ式のラッチ装置の一例が記載されている。図１２に示すように、ラッチ装置は、ハウジング１００と、ハウジング１００の開口１０１から内側に挿入されるラッチボディ１０２と、ラッチボディ１０２をハウジング１００から抜け出す方向に付勢する圧縮コイルばね１０３とを備える。
【０００３】
ラッチボディ１０２の先端には、アーム１０８，１０９が備えられている。また、ラッチボディ１０２の両側面には、循環カム溝１０４とハート突起部１０５とが形成されている。この循環カム溝１０４には、ハウジング１００に対し揺動可能に固定されたガイドレバー１０６のトレース部１０７が挿入される。図１３に示すように、ガイドレバー１０６は、先端が折り曲げられた略コの字状に形成されている。各トレース部１０７は、ラッチボディ１０２の移動に伴い、循環カム溝１０４を摺動する。
【０００４】
そして、例えば扉や引き出し等の移動体にストライカー１１０が取り付けられ、本体側にラッチ装置が取り付けられて、ストライカー１１０が、図１２に示すロック解除位置のラッチボディ１０２に挿入されると、ラッチボディ１０２は、圧縮コイルばね１０３の付勢力に抗してハウジング１００内に押し込まれる。ラッチボディ１０２がハウジング１００に押し込まれる際、アーム１０８，１０９は、ハウジング１００の内側面に当接することにより、互いに近接する方向に回転する。そして図１４に示すように、ラッチボディ１０２がロック位置に配置されると、トレース部１０７は、ハート突起部１０５の凹部に係止され、ストライカー１１０の先端はアーム１０８，１０９によって挟持されてロック状態となり、移動体は本体に対して閉止される。
【先行技術文献】
【特許文献】
【０００５】
【特許文献１】特許第３１２６９９２号公報
【発明の概要】
【発明が解決しようとする課題】
【０００６】
しかし、ロック状態にあるラッチ装置に対しストライカーＳを押し込む操作をせずに強制的に引き抜く、いわゆる無理抜き操作が行われた場合、ハウジング１００に固定されたガイドレバー１０６は、図１３中矢印で示すように、トレース部１０７が互いに離間するように拡開する。しかし、トレース部１０７がハート突起部１０５を乗り越えるためには大きな引っ張り力を要するため、ラッチボディ１０２とガイドレバー１０６との当接部や、ガイドレバー１０６自体等が、変形することがあった。
【０００７】
また、この問題点は、アーム１０８，１０９を備えるラッチボディ１０２を備えるタイプのラッチ装置のみならず、カムを摺動するガイドレバーを備えるタイプのラッチ装置であれば同様に起こりうる。
【０００８】
本発明は、上記問題点に鑑みてなされたものであり、その目的は、ロックされたストライカーが強制的に引き抜かれた場合にも、ラッチ本体やガイドレバー等の変形を防ぐことができるラッチ装置を提供することにある。
【課題を解決するための手段】
【０００９】
上記問題点を解決するために、請求項１に記載の発明は、ストライカーのロック及びロックの解除が、該ストライカーをハウジングに押し込む操作によって行われるラッチ装置において、ロック位置で前記ストライカーをロックし、前記ハウジング内をロック解除位置と最大押し込み位置との間で移動可能なラッチ本体と、前記ラッチ本体を前記ロック解除位置へ向かって付勢する付勢ばねと、前記ラッチ本体に形成された循環カムに沿って摺動し、前記ラッチ本体を前記ロック位置に係止するガイドレバーとを備えるとともに、前記ガイドレバーは、前記循環カムに摺接するトレース部と、前記トレース部に従って傾動する傾動部と、前記傾動部の傾動に従動して捻られる第１の屈曲部と、前記第１の屈曲部に対して異なる方向に延びるとともに前記トレース部が前記カム溝から抜け出す方向に前記傾動部が拡開した際に前記傾動部に従動して捻られる第２の屈曲部とを備えたことを要旨とする。
【００１０】
請求項１に記載の発明によれば、ラッチ本体にロックされたストライカーを強制的に抜く、いわゆる無理抜き操作が行われた際に、ガイドレバーには、トレース部が循環カムから抜け出す方向に拡開する力が加わる。このとき、第２の屈曲部が、傾動部の拡開に従動して捻られるので、傾動部が拡開しやすくなる。従って、過大な力を加えなくても、トレース部が循環カムを乗り越えるため、ラッチ本体、ガイドレバー又はストライカー等を変形させることなく、無理抜き操作を許容することができる。
【００１１】
請求項２に記載の発明は、請求項１に記載のラッチ装置において、前記第２の屈曲部は、前記トレース部の拡開方向に対して垂直に延びることを要旨とする。
請求項２に記載の発明によれば、第２の屈曲部は、傾動部の拡開方向に対して垂直に延びるため、傾動部を拡開させる力が、第２の屈曲部を捩じるトルクとして伝達されやすくなる。このため、過大な引っ張り力をストライカーに加えなくても、トレース部が循環カムを乗り越えやすくなるため、ラッチ本体、ガイドレバー等を変形させることなく、無理抜き操作を許容することができる。
【００１２】
請求項３に記載の発明は、請求項１又は２に記載のラッチ装置において、前記ガイドレバーは、前記ラッチ本体の両面に形成された前記循環カムに摺接する一対の前記トレース部と、前記各トレース部に連続する一対の傾動部と、前記各傾動部に連続して形成された一対の前記第１の屈曲部と、前記各第１の屈曲部に対して垂直に延び前記各第１の屈曲部の間に設けられた第２の屈曲部を備えたことを要旨とする。
【００１３】
請求項３に記載の発明によれば、ガイドレバーは、両面に循環カムが形成されたラッチ本体に適用可能であり、第２の屈曲部は、各傾動部の拡開に従動して捩じられる。即ち、傾動部の拡開を許容する部材として第２の屈曲部を一つのみ設ければよいため、ガイドレバーの小型化を図ることができる。
【図面の簡単な説明】
【００１４】
【図１】本発明のラッチ装置を具体化した一実施形態であってその全体を示す斜視図。
【図２】同ラッチ装置の分解斜視図。
【図３】同ラッチ装置を構成するラッチ本体の平面図。
【図４】ロック解除状態の同ラッチ装置を示す要部断面図。
【図５】ロック解除状態からロック状態へ移行する同ラッチ装置を示す要部断面図。
【図６】ロック解除状態からロック状態へ移行する際のガイドレバーの作用を説明するための斜視図。
【図７】最大押し込み状態の同ラッチ装置を示す要部断面図。
【図８】（ａ）はロック状態の同ラッチ装置を示す要部断面図、（ｂ）はその状態におけるハートカムとトレース部との相対位置を示す拡大図。
【図９】無理抜き操作時のガイドレバーの作用を説明するための斜視図。
【図１０】変形例のガイドレバーの作用を説明するための斜視図。
【図１１】変形例のラッチ装置の要部断面図。
【図１２】従来のラッチ装置であって、そのロック解除状態を示す断面図。
【図１３】従来のガイドレバーの斜視図。
【図１４】従来のラッチ装置であって、そのロック状態を示す断面図。
【発明を実施するための形態】
【００１５】
以下、本発明のラッチ装置を具体化した一実施形態について、図１〜図９に従って説明する。ラッチ装置は、プッシュ・プッシュ式の装置であって、扉、蓋、引き出し等の移動体、又はその移動体が備えられたキャビネット、オーディオ機器等の本体に設けられる。本実施形態では、ラッチ装置を、キャビネット本体に設けられるものとして説明する。
【００１６】
図１に示すように、本実施形態のラッチ装置１１は、ハウジング１２と、一対の挟持片３０を有するラッチ本体１５とを備える。ハウジング１２は、ＰＯＭ等の樹脂からなり、キャビネット本体に取り付けられる。また、キャビネットの扉側には、ラッチ装置１１をロック状態及びロック解除状態とするためのストライカーＳが設けられている。ストライカーＳは、移動体側の基端部Ｓ１と、外側に張り出した拡径部Ｓ２とを備えている。扉を閉止する際は、キャビネット本体に対し開状態の扉を押し込むことで、ストライカーＳがラッチ装置１１に挿入されてロックされる。扉を開く際は、閉止された扉を本体側に押し込むことで、ストライカーＳがラッチ装置１１から引き抜かれてロック解除される。
【００１７】
まずハウジング１２の構成について説明する。図２に示すように、ハウジング１２は、有底筒状をなし、上壁部２０ａ、側壁部２０ｂ，２０ｃ、背壁部２０ｄ及び底壁部２０ｅからなるハウジング基体２０と、ハウジング基体２０の開口部に設けられ、ハウジング基体２０から外側に張り出すように形成された枠部２１とを備える。枠部２１は、ハウジング開口からみて長方形状をなしている。
【００１８】
図２に示すように、ハウジング基体２０の側壁部２０ｂ，２０ｃには、爪部２２がそれぞれ形成されている。これらの爪部２２と枠部２１との間にキャビネット本体の一部が固定され、爪部２２がキャビネット本体の孔に嵌合されることにより、ハウジング１２がキャビネット本体に対して取り付けられる。また、ハウジング基体２０の上壁部２０ａには、ガイド溝２０ｆが、ハウジング基体２０の長手方向に沿って貫通形成されている。
【００１９】
図２に示すように、ハウジング１２の背壁部２０ｄには、棒状のばね受け部２３が、ハウジング基体２０の長手方向に沿って延出形成されている。ばね受け部２３は、背壁部２０ｄのうち、側壁部２０ｂ側に偏移した位置に設けられている。このばね受け部２３には、図２に示す付勢ばね１３が外嵌される。付勢ばね１３は、コイルばねであって、ハウジング１２とラッチ本体１５との間に介在して、ラッチ本体１５を枠部２１から突出する方向に付勢する。
【００２０】
次に、ラッチ本体１５について説明する。ラッチ本体１５は、ＰＯＭ等の樹脂からなり、図２に示すように、上述した一対の挟持片３０と、挟持片３０に対して後方に延びるラッチ基体３１とを備えている。挟持片３０は、その基端に薄肉化されたヒンジ部３２を備えている。また、挟持片３０の先端には、大径部３０ａが設けられ、ヒンジ部３２と大径部３０ａとの間には、大径部３０ａよりも幅が狭い中間部３０ｂが設けられている。
【００２１】
ラッチ本体１５がハウジング内に押し込まれると、挟持片３０とハウジング１２の内側面とが当接することにより、挟持片３０はヒンジ部３２を中心に互いに近接する方向に回動する。そして、大径部３０ａと中間部３０ｂとの段差に、ストライカーＳの拡径部Ｓ２が係止されることにより、ストライカーＳが挟持片３０に挟持される。また、ラッチ本体１５がロック解除位置に配置されて、各挟持片３０がハウジング１２の開口２６から抜き出されると、各挟持片３０は、弾性力により元の位置に復帰する。
【００２２】
さらに、ラッチ基体３１には、突片３３が形成されている。突片３３は、ラッチ本体１５がハウジング１２に収容された際に、ハウジング基体２０に形成されたガイド溝２０ｆに摺動可能に内嵌される。突片３３がガイド溝２０ｆに嵌合されることにより、ラッチ本体１５の挿入方向の移動範囲が規制され、ロック解除状態になってもラッチ本体１５がハウジング１２から抜き出されずに保持される。
【００２３】
また、図３に示すように、ラッチ基体３１には、嵌挿穴３４が形成されている。この嵌挿穴３４には、ハウジング１２のばね受け部２３に支持された付勢ばね１３（図２参照）が嵌挿される。
【００２４】
さらに、図３に示すように、ラッチ基体３１の平面には、循環カムを構成する第１の循環カム溝３５と、第１のハートカム３６とが形成されている。さらに図３中鎖線で示すように、ラッチ基体３１の底面には、循環カムを構成する第２の循環カム溝３７と、第２のハートカム３８とが形成されている。第１の循環カム溝３５及び第１のハートカム３６にはガイドレバー１４のトレース部１４ａ（図２参照）が摺接し、第２の循環カム溝３７及び第２のハートカム３８にはガイドレバー１４のトレース部１４ｂ（図２参照）が摺接する。
【００２５】
第１の循環カム溝３５は、第１のハートカム３６の外側を囲むように形成され、その入口には、外側に拡開された挿入口３５ａが形成されている。また、各挟持片３０の間に設けられた壁部３９からは、第１の循環カム溝３５側へ突き出すように区画壁４０が設けられている。この区画壁４０により、第１係止部４０ａと第２係止部４０ｂとが区画形成される。
【００２６】
また、第１の循環カム溝３５の入口には、傾斜面４１が設けられている。ラッチ本体１５がハウジング１２に収容された際等に、ガイドレバー１４の先端がこの傾斜面４１の上を摺動することによって、ガイドレバー１４の先端が第１の循環カム溝３５に導かれる。
【００２７】
さらに、第２の循環カム溝３７は、ハートカム３８の外側を囲むように形成されている。第２の循環カム溝３７は、第１の循環カム溝３５と一部異なる形状に形成されている。第２のハートカム３８は、第１のハートカム３６よりも、各循環カム溝３５，３７の入口（挿入口３５ａ）側と、突片３３側とに張り出しており、第１のハートカム３６と異なる形状を有している。
【００２８】
次に、ガイドレバー１４について説明する。図２に示すように、ガイドレバー１４は、ハウジング１２の底壁部２０ｅに対し、捻られることが可能に支持される第１の屈曲部１４ｅ，１４ｆを備えている。第１の屈曲部１４ｅ，１４ｆは、直線状であって互いに平行に形成され、ハウジング１２の側壁部２０ｂ、２０ｃに対して略平行になるように底壁部２０ｅに固定される。第１の屈曲部１４ｅ，１４ｆの間には、第２の屈曲部１４ｇが設けられている。第２の屈曲部１４ｇは、第１の屈曲部１４ｅ，１４ｆに対して垂直に延びている。
【００２９】
第１の屈曲部１４ｅ，１４ｆの端部からは、傾動部１４ｃ、１４ｄが延出形成されている。傾動部１４ｃ、１４ｄは直線状に形成され、その先端には、第１の循環カム溝３５に挿し込まれるトレース部１４ａと、第２の循環カム溝３７に挿し込まれるトレース部１４ｂとがそれぞれ設けられている。各トレース部１４ａ，１４ｂは、各傾動部１４ｃ、１４ｄに対して垂直に延出している。傾動部１４ｃ，１４ｄは、ガイドレバー１４に外力が加えられていない状態において、各トレース部１４ａ，１４ｂが互いの中心軸が一致するように、第１の屈曲部１４ｅ，１４ｆに対して９０°未満の角度で異なる方向に傾斜している。
【００３０】
次に、ラッチ装置１１の作用について、図４〜図９に従って説明する。図４に示すように、ラッチ装置１１のハウジング１２は、キャビネット本体Ｃに形成された凹部Ｃ１に固定され、爪部２２は、凹部Ｃ１に形成された孔Ｃ２に嵌合されている。扉が開状態とされた場合には、ラッチ本体１５は付勢ばね１３によってロック解除位置に配置される。
【００３１】
ラッチ本体１５がロック解除位置に配置されたとき、各挟持片３０は、ハウジング１２の開口から外側に突出し、外側に拡開した状態とされる。また、ガイドレバー１４のトレース部１４ａは、第１の循環カム溝３５の挿入口３５ａ付近の側面に当接する。また図示は省略するが他方のトレース部１４ｂは、第２の循環カム溝３７内に配置され、突片３３は、ハウジング１２のガイド溝２０ｆに嵌合されている。
【００３２】
扉をキャビネット本体Ｃに対し押し込むと、ラッチ本体１５の壁部３９にストライカーＳの拡径部Ｓ２の先端が当接する。そしてストライカーＳを介して、ラッチ本体１５がハウジング内に押し込まれる。ハウジング内に押し込まれるに伴い、ラッチ本体１５の挟持片３０は、ハウジング１２の開口部に摺接することにより、ヒンジ部３２を中心に互いに近接する方向に回動する。
【００３３】
このとき、ガイドレバー１４はハウジング１２に固定された基端部を中心にハウジング内で揺動する。即ち図５に示すようにトレース部１４ａは、第１の循環カム溝３５の入口側通路３５ｂの側面を摺動した後、ハートカム３６の側面３６ａに当接する。また、図５中破線で示す第２のハートカム３８の大きさが、図中実線で示す第１のハートカム３６よりも突片３３側に大きく張り出しているため、他方のトレース部１４ｂは、そのハートカム３８の側面を摺動するように移動する。このため、図６中矢印方向Ｄ１に示すように、トレース部１４ｂ及び傾動部１４ｄは、他方の傾動部１４ｃに対し捻られるように紙面奥側へ傾動し、トレース部１４ａ及び傾動部１４ｃは図中矢印方向Ｄ２に示すように手前側に傾動する。第１の屈曲部１４ｅ，１４ｆの中心軸は、これらの傾動方向に対し略垂直となる。そして第１の屈曲部１４ｅ，１４ｆが、傾動部１４ｃ，１４ｄの傾動に従いそれぞれ矢印方向Ｄ３，Ｄ４に捩られることにより、傾動部１４ｃ，１４ｄが傾動しやすくなり、その傾動範囲も大きくなる。
【００３４】
さらに扉がキャビネット本体Ｃに対して押し込まれると、図７に示すように、トレース部１４ａが、第１係止部４０ａに当接する。また他方のトレース部１４ｂも、壁部３９に当接する。このため、ラッチ本体１５の挿入方向への移動が規制され、ラッチ本体１５はロック時の最大押し込み位置に配置される。
【００３５】
ラッチ本体１５をロック時の最大押し込み位置に配置した後、扉に加わる押圧力を解除すると、付勢ばね１３の付勢力により、ラッチ本体１５がハウジング１２から抜け出す方向に付勢される。この際、図８（ｂ）に示すように、ガイドレバー１４のトレース部１４ｂが、裏面のハートカム３８の凹部３８ａに係止されることにより、ラッチ本体１５の抜け出し方向の移動が規制される。その結果、図８（ａ）に示すように、ラッチ本体１５は、ロック解除位置と最大押し込み位置との間にある、ロック位置に配置される。また、各挟持片３０は、ハウジング１２の内側面によりその開度が規制され、ストライカーＳの基端部Ｓ１を挟持する。これによって、ストライカーＳがラッチ装置１１に固定され、扉がキャビネット本体Ｃに対して閉止される。
【００３６】
また、ラッチ装置１１のロックを解除するためには、扉をキャビネット本体Ｃに対し再度押し込む。これにより、ガイドレバー１４のトレース部１４ａが、第２係止部４０ｂに係止され、他方のトレース部１４ｂも壁部３９に係止されて、ラッチ本体１５がロック解除時の最大押し込み位置に配置される。そして、扉に対する押圧力を解除すると、ラッチ本体１５は付勢ばね１３の付勢力によりハウジング１２から抜け出す方向に押し戻され、各トレース部１４ａ，１４ｂは、循環カム溝３５，３７内を、図８中反時計回り方向に沿って摺動し、ロックが解除される。
【００３７】
このようにラッチ装置１１は、プッシュ・プッシュ式の装置であるため、閉止された扉を開く際には、扉を再度押し込むのが本来の操作である。しかし、扉を開く際に、扉を押圧せず、本体から離間する方向に無理に引っ張られることがある。このような無理抜き操作が行われた場合にも、ガイドレバー１４のトレース部１４ａ，１４ｂは、ラッチ本体１５を係止してロック位置に留める。しかし、扉に対し所定の大きさ以上の引っ張り力が加えられると、図９に示すように、傾動部１４ｃ，１４ｄが、その基端側を中心に、トレース部１４ａ，１４ｂを矢印方向Ｄ５，Ｄ６に沿って離間させるように拡開する。この際、傾動部１４ｃ、１４ｄの拡開方向に対し、第２の屈曲部１４ｇは垂直となる。そして第２の屈曲部１４ｇの各端部には、矢印方向Ｄ７，Ｄ８に捻られるようなトルクが加わり、傾動部１４ｃ、１４ｄの拡開する動作を許容し、その拡開範囲も大きくなる。
【００３８】
そして、ストライカーＳの引っ張り力が所定の大きさ以上になると、トレース部１４ａ，１４ｂは、ハートカム３６，３８を乗り越え、第１の循環カム溝３５及び第２の循環カム溝３７の入り口側に差し込まれる。ラッチ本体１５は付勢ばね１３の付勢力により、ロック解除位置に復帰し、ストライカーＳをハウジング１２から抜出可能となる。
【００３９】
従って、このように無理抜き操作が行われた場合であっても、ストライカーＳを引っ張る力が所定の大きさ以上となった際に、ガイドレバー１４が開いて、ストライカーＳの引き抜きを許容する。このため、無理抜き操作により、ラッチ本体１５やガイドレバー１４に無理な力がかかることによる変形等を防ぐことができる。
【００４０】
上記実施形態によれば、以下のような効果を得ることができる。
（１）上記実施形態では、ラッチ本体１５にロックされたストライカーＳを強制的に抜く、いわゆる無理抜き操作が行われた際に、ガイドレバー１４には、トレース部１４ａ，１４ｂが各循環カム溝３５，３７から抜け出す方向に拡開する力が加わる。このとき、第２の屈曲部１４ｇが、傾動部１４ｃ，１４ｄの拡開に従動して捻られるので、第２の屈曲部１４ｇを備えない従来のガイドレバーに比べ、ストライカーＳに過大な引っ張り力を加えなくても、ガイドレバー１４を、ラッチ本体１５から抜くことができる程度に大きくすることができる。このため、従来のガイドレバーに比べ、トレース部１４ａ，１４ｂがハートカム３６，３８を乗り越えやすくなるため、過大な力をハウジング１２、ガイドレバー１４、ラッチ本体１５、ストライカーＳ等にかけて変形させることなく、無理抜き操作を許容することができる。
【００４１】
（２）上記実施形態では、第２の屈曲部１４ｇは、トレース部１４ａ，１４ｂの拡開方向に対して垂直に延びるため、傾動部１４ｃ、１４ｄを拡開させる力が、第２の屈曲部１４ｇを捩じるトルクとして伝達されやすくなる。このため、過大な引っ張り力をストライカーＳに加えなくても、トレース部１４ａ，１４ｂがハートカム３６，３８を乗り越えることができるため、ラッチ本体１５、ガイドレバー１４、ストライカーＳ等を変形させることなく、無理抜き操作を許容することができる。
【００４２】
（３）上記実施形態では、ガイドレバー１４は、一対のトレース部１４ａ，１４ｂと、各トレース部１４ａ，１４ｂに連続する一対の傾動部１４ｃ、１４ｄと、各傾動部１４ｃ、１４ｄに連続して形成された第１の屈曲部１４ｅ，１４ｆと、第１の屈曲部１４ｅ，１４ｆの間に設けられた第２の屈曲部１４ｇを備えた。即ち、ガイドレバー１４は、両面に循環カム溝３５，３７が形成されたラッチ本体１５に適用可能である。また、第２の屈曲部１４ｇは、各傾動部１４ｃ，１４ｄの拡開に従動して、図９中矢印方向Ｄ７，Ｄ８の両方向に捩じられる。即ち、各傾動部１４ｃ、１４ｄの拡開を許容する部材として第２の屈曲部１４ｇを一つのみ設ければよいため、ガイドレバーの小型化を図ることができる。
【００４３】
尚、上記実施形態は以下のように変更してもよい。
・上記実施形態では、ラッチ本体１５の循環カムを、循環カム溝３５，３７から構成したが、ガイドレバー１４が摺接する突部から構成してもよい。
【００４４】
・上記実施形態では、第１の屈曲部１４ｅ，１４ｆをハウジング１２の底壁部２０ｅに固定するようにしたが、第２の屈曲部１４ｇを底壁部２０ｅに対し回転可能に固定するようにしてもよい。又は、第１の屈曲部１４ｅ，１４ｆ及び第２の屈曲部１４ｇの両方を底壁部２０ｅに対し回転可能に固定するようにしてもよい。
【００４５】
・上記実施形態のガイドレバー１４は、両面に循環カムが形成されたラッチ本体に適用されるガイドレバーとしたが、図１０に示すように、片面のみに循環カムが形成されたラッチ本体１５に適用可能なガイドレバー５０としてもよい。即ち、１つのトレース部５０ａと、傾動部５０ｂと、第１の屈曲部５０ｃと、第２の屈曲部５０ｄを備えた構成でもよい。この際、第２の屈曲部５０ｄがハウジング１２に対して固定される。
【００４６】
・上記実施形態では、ラッチ装置を、ストライカーＳを挟持片３０で挟持するタイプのラッチ装置に具体化したが、ガイドレバー１４によってラッチ本体をロック位置に保持する構成のラッチ装置であれば、他の構成によってストライカーＳをロックするラッチ装置に具体化してもよい。例えば、図１１に示すように、先端にフック５５を有しストライカーＳをロックする係合体５６と、係合体５６が固定される摺動体５７と、摺動体５７をロック解除位置に付勢する付勢ばね５８とを備えるラッチ装置に具体化してもよい。
【符号の説明】
【００４７】
１１…ラッチ装置、１２…ハウジング、１３，５８…付勢ばね、１４，５０…ガイドレバー、１４ａ，１４ｂ，５０ａ…トレース部、１４ｃ，１４ｄ，５０ｂ…傾動部、１４ｅ，１４ｆ，５０ｃ…第１の屈曲部、１４ｇ，５０ｄ…第２の屈曲部、１５…ラッチ本体、Ｓ…ストライカー。
【図１】
2013185392.tif 000003
【図２】
2013185392.tif 000004
【図３】
2013185392.tif 000005
【図４】
2013185392.tif 000006
【図５】
2013185392.tif 000007
【図６】
2013185392.tif 000008
【図７】
2013185392.tif 000009
【図８】
2013185392.tif 000010
【図９】
2013185392.tif 000011
【図１０】
2013185392.tif 000012
【図１１】
2013185392.tif 000013
【図１２】
2013185392.tif 000014
【図１３】
2013185392.tif 000015
【図１４】
2013185392.tif 000016